(57)【要約】【課題】  ロール状に巻き易く、縦ロープに差し込み易く、養殖中に縦ロープから抜けにくく、養殖後は縦ロープから抜き取りやすい連続貝係止具とロール状貝係止具を実現する。【解決手段】  二本のロープ止め突起がハ字状に形成された貝係止具が同じ向きで多数本配列され、各貝係止具のロープ止め突起の内側が紐状の可撓性連結材と一体に樹脂成型されて前記多数本の貝係止具が連結されている。可撓性連結材はロール状に巻き取り可能な可撓性を備えた紐状であり、ロープ止め突起と同じであるか又はそれよりも太い紐状である。前記した連続貝係止具が、シートを宛がって又は宛がわずにロール状に巻かれたロール状連続貝係止具、シートを宛がって又は宛がわずに所望長に折り返して重ねた折り重ね連続貝係止具である。【選択図】    図１
2018130078.tif 000002
【特許請求の範囲】
【請求項１】
ロープと貝にあけた孔に差し込みできる細長の基材と、その軸方向両端に突設された貝止め突起と、貝止め突起よりも内側に、貝止め突起と同方向に突設された二本のロープ止め突起を備えた貝係止具が、間隔をあけて平行に多数本連結されて樹脂成型された連続貝係止具において、
前記二本のロープ止め突起はハ字状に突設され、
前記貝係止具は前記ロープ止め突起を同じ向きにして多数本配列され、配列方向に隣接する貝係止具同士は、一方の貝係止具のロープ止め突起の先端が、他方の貝係止具の基材から離れて配列され、
前記貝係止具のうち隣接する貝係止具同士はロープ止め突起の内側において二本の可撓性連結材と一体に樹脂成型されて連結され、
前記可撓性連結材による連結箇所が、二本のロープ止め突起の夫々から内側に離れた箇所であり、
可撓性連結材はロープ止め突起と同じ太さ又はそれよりも太くしてあり、ロール状に巻き取り可能又は折り重ね可能な可撓性を備えた紐状であり、一本のロープ止め突起と一本の可撓性連結材が一対として基材の軸方向に接近配置され、可撓性連結材を切断して貝係止具を一本ずつに切り離すことにより生じる切り残し突起が、二本のロープ止め突起の内側に残ってロープ止め突起となる、
ことを特徴とする連続貝係止具。
【請求項２】
ロープと貝にあけた孔に差し込みできる細長の基材と、その軸方向両端に突設された貝止め突起と、貝止め突起よりも内側に、貝止め突起と同方向に突設された二本のロープ止め突起を備えた貝係止具が、間隔をあけて平行に多数本連結されて樹脂成型された連続貝係止具において、
前記二本のロープ止め突起は前記基材から直交又はほぼ直交状に突設され、
前記貝係止具は前記ロープ止め突起を同じ向きにして多数本配列され、配列方向に隣接する貝係止具同士は、一方の貝係止具のロープ止め突起の先端が、他方の貝係止具の基材から離れて配列され、
前記貝係止具のうち隣接する貝係止具同士はロープ止め突起の内側において二本の可撓性連結材と一体に樹脂成型されて連結され、
前記可撓性連結材による連結箇所が、二本のロープ止め突起の夫々から内側に離れた箇所であり、
可撓性連結材はロープ止め突起と同じ太さ又はそれよりも太くしてあり、ロール状に巻き取り可能又は折り重ね可能な可撓性を備えた紐状であり、一本のロープ止め突起と一本の可撓性連結材が一対として基材の軸方向に接近配置され、可撓性連結材を切断して貝係止具を一本ずつに切り離すことにより生じる切り残し突起が、二本のロープ止め突起の内側に残ってロープ止め突起となる、
ことを特徴とする連続貝係止具。
【請求項３】
請求項１又は請求項２記載の連続貝係止具において、
夫々の可撓性連結材の断面積がロープ止め突起の断面積と同じであるか又は当該断面積よりも大きい、
ことを特徴とする連続貝係止具。
【請求項４】
請求項１から請求項３のいずれか１項に記載の連続貝係止具において、
二本の可撓性連結材の間隔が、貝係止具が差し込まれるロープの直径よりも広い、
ことを特徴とする連続貝係止具。
【請求項５】
請求項１から請求項４のいずれか１項に記載の連続貝係止具が、シートを宛がって又は宛がわずにロール状に巻かれた、
ことを特徴とするロール状連続貝係止具。
【請求項６】
請求項１から請求項４のいずれか１項に記載の連続貝係止具が、シートを宛がって又は宛がわずに、所望長の長さで折り重ねられた、
ことを特徴とする折り重ね連続貝係止具。
【発明の詳細な説明】
【技術分野】
【０００１】
本発明は帆立貝、真珠貝、牡蠣、その他の貝（以下、まとめて「貝」という）の養殖に使用される貝係止具と、多数本の貝係止具を一定間隔で連結して樹脂成型した連続貝係止具と、連続貝係止具をロール状に巻いたロール状連続貝係止具と、連続貝係止具を折り重ねた折り重ね連続貝係止具に関するものである。
【背景技術】
【０００２】
帆立貝の養殖方法の一つとして耳吊養殖がある。これは海面近くに横向きに張った横ロープに、多数の帆立貝を取り付けた縦ロープを縦向きに取り付けて海中に吊るして養殖する方法である。この場合、図５に示すように縦ロープＣへ貝Ｂを取り付けるためにピン状の貝係止具Ａが使用されている。貝係止具Ａとしては特許文献１、２に示すようなものがある。これら文献の貝係止具Ａは樹脂成型されており、細長基材の両端の夫々に貝止め突起Ｇがあり、基材の中央部に二本のロープ止め突起Ｅがある。また、多数本の貝係止具Ａが樹脂成型時に連結紐で連結されている。使用に当たっては、連結紐を切断して貝係止具Ａを一本ずつ縦ロープＣに差し込み、その貝係止具Ａを、予め、貝Ｂにあけてある孔に差し込んで貝Ｂを貝止め突起Ｇに係止する。前記切断時に連結紐の一部が切り残し片として貝係止具Ａに残る。
【０００３】
連結紐が硬かったり太すぎたりすると、連続成型される多数本の貝係止具Ａを、ロール状に巻きにくいという難点があった。また、連結紐を切断して貝係止具Ａを縦ロープＣに差し込む場合、連結紐の切り残し片が長いと、切り残し片が邪魔になって差し込みにくいという難点がある。養殖を終えた縦ロープＣは貝Ｂを取り外して再利用している。この場合、縦ロープＣに貝係止具Ａが残っていると再利用しにくいため、残っている貝係止具Ａを抜去している。この場合、連結紐が硬かったり太すぎたりすると切り残し片も硬かったり太すぎたりするため、縦ロープＣから抜き取りにくいという難点があった。
【先行技術文献】
【特許文献】
【０００４】
【特許文献１】特開２００４−２０８６１９号公報
【特許文献２】特開２００２−１３６２４１号公報
【発明の概要】
【発明が解決しようとする課題】
【０００５】
本発明の解決課題は、ロール状に巻き易く又は所望長に折り重ね易く、縦ロープに差し込み易く、海中に吊り下げての養殖中は抜けにくく、養殖後は縦ロープから抜き取りやすい連続貝係止具とロール状連続貝係止具と折り重ね連続貝係止具を実現することにある。
【課題を解決するための手段】
【０００６】
本発明の連続貝係止具は、ロープと貝にあけた孔に差し込みできる細長の基材と、その軸方向両端側の夫々に突設された貝止め突起と、夫々の貝止め突起よりも内側に貝止め突起と同方向に突設された二本のロープ止め突起（説明の便宜上、以下では「第一ロープ止め突起」という。）を備えた貝係止具が多数本連続して樹脂成型された連続貝係止具である。第一ロープ止め突起は基材からハ字状に斜めに又は基材から直交又はほぼ直交状に突設されている。多数本の貝係止具は第一ロープ止め突起を同じ向きにして平行に配列され、配列方向に隣接する貝係止具同士は、一方の貝係止具の第一ロープ止め突起の先端が他方の貝係止具の基材から離れており、第一ロープ止め突起の内側が二本の可撓性連結材と一体に樹脂成型されて連結されている。可撓性連結材の断面積は第一ロープ止め突起の断面積と同じ又は大きくすることもできる。可撓性連結材はロール状に巻き取り可能又は所望長に折り返して重ねる（折り重ねる）ことができる可撓性を備えた紐状である。一本の第一ロープ止め突起と一本の可撓性連結材は一対として基材の軸方向に接近配置されており、可撓性連結材を切断して貝係止具を一本ずつに切り離すことにより生じる切り残し突起がロープ止め突起（説明の便宜上、以下では「第二ロープ止め突起」という。）となるようにしてある。可撓性連結材による連結箇所は二本の第一ロープ止め突起の夫々から内側に離れた箇所であって二本の第一ロープ止め突起間の中心よりも第一ロープ止め突起寄りの箇所にして、二本の可撓性連結材の間隔を縦ロープの直径よりも広くしてある。
【０００７】
本発明のロール状連続貝係止具は、前記連続貝係止具がシートを宛がって又は宛がわずにロール状に巻かれたものであり、折り重ね連続貝係止具は前記連続貝係止具がシートを宛がって又は宛がわずに所望長に折り返して重ねた（折り重ねた）ものである。
【発明の効果】
【０００８】
本発明の連続貝係止具は、多数本の貝係止具が間隔をあけて配置される、可撓性連結材と一体に樹脂成型されて連結されており、しかも可撓性連結材はロール状に巻き取り可能又は折り重ね可能な可撓性のある紐状であるため、貝係止具が数千〜数万本と多くなってもロール状に巻回したり、折り重ねたりしてコンパクトにまとめることができ、保管、輸送、取り扱いに便利である。
【０００９】
可撓性連結材を切断して貝係止具を一本ずつに切り離すことにより生じる切り残し突起が第二ロープ止め突起となるようにしてあるため、当該切り残し突起と第一ロープ止め突起とにより二重にロープからの貝係止具の抜けを防止でき、抜け止め防止効果が向上する。
【００１０】
可撓性連結材の断面積が第一ロープ止め突起の断面積と同じ又はそれよりも大きいので、可撓性連結材の切り残しである第二ロープ止め突起も第一ロープ止め突起と同様の抜け止め機能があり、ロープからの貝係止具の抜け防止効果が向上する。
【００１１】
可撓性連結材の連結箇所が第一ロープ止め突起の内側であるため、第二ロープ止め突起が基材の外に突出しても、貝係止具を手で持って貝へ差し込むときに、手の指が切り残し突起に当たりにくくなり、指が損傷したり、手にはめている手袋が破れたりしにくくなる。
【００１２】
二本の可撓性連結材の間隔が縦ロープの直径よりも広いので、縦ロープが二本の第二ロープ止め突起の間に収まり安定する。
【００１３】
本発明のロール状連続貝係止具は、連続貝係止具がロール状に巻かれているか折り重ねられているので、コンパクトになって保管に場所をとらず、搬送などの取り扱いに便利である。また、ロープへの差し込み時にピンセッターにセットして、自動的に一本ずつに切断して縦ロープに差し込むことができるので、ロープへの差し込みを自動化することができる。
【００１４】
シートを宛がってロール状に巻くか折り重ねてあるため、連続貝係止具の巻き戻しや引き出しがスムースになり、自動ピンセッターでの切断、ロープへの差し込み作業が容易になる。
【図面の簡単な説明】
【００１５】
【図１】（ａ）は本発明の連続貝係止具の一例を示す正面図、（ｂ）は（ａ）の連続貝係止具から切り取った一本の貝係止具の正面図、（ｃ）は（ｂ）のＸ−Ｘ断面図、（ｄ）〜（ｆ）は可撓性連結材の各種断面形状の説明図。
【図２】（ａ）は本発明の連続貝係止具の他例を示す正面図、（ｂ）は（ａ）の連続貝係止具から切り取った一本の貝係止具の正面図。
【図３】（ａ）は本発明の連続貝係止具の他例を示す正面図、（ｂ）は（ａ）の連続貝係止具から切り取った一本の貝係止具の正面図。
【図４】（ａ）（ｂ）は本発明のロール状連続貝係止具であり、（ａ）はボビンを使用せずにロール状に巻いた斜視図、（ｂ）はボビンにロール状に巻いた状態の概要図、（ｃ）は本発明の折り重ね連続貝係止具の説明図。
【図５】従来の連続貝係止具の使用例を示す説明図。
【発明を実施するための形態】
【００１６】
［貝係止具の実施例１］
本発明の連続貝係止具と、それをロール状に巻いたロール状貝係止具と、折り重ねた折り重ね貝係止具の一実施例を図面に基づいて説明する。本発明の連続貝係止具１は多数本の貝係止具２が二本の可撓性連結材３と一体に樹脂成型して連続した場合である。二本の可撓性連結材３は図４（ｂ）のようにボビンＨにロール状に巻くことのできる柔軟性（可撓性）を備えている。また、図４（ｃ）のように所望長に折り返して重ねる（反物状に折り重ねる）ことができる可撓性も備えている。
【００１７】
図１（ｂ）の貝係止具２は、海中に吊るす縦ロープＣ（図５）と貝Ｂ（図５）の耳にあけた孔に差し込み可能な細長いピン状の基材４のほぼ中央部に、ロープ止め突起（第一ロープ止め突起）５が「ハ」字状に二本突設され、第一ロープ止め突起５よりも外側の両端側（差し込み端部）に貝Ｂの抜けを防止する貝止め突起６が突設されている。これら基材４、第一ロープ止め突起５、貝止め突起６は一体に樹脂成型されている。貝係止具２の材質はナイロンが適する。
【００１８】
図１（ａ）（ｂ）の基材４は細長のピン状であり、その断面形状は丸形（図１（ｃ））であるが、断面形状は長方形の角形、正方形の角形、その他の各種形状とすることができる。図１（ａ）（ｂ）の基材４は両端部（通称、穂先）７を先細りに成型して貝Ｂ（図５）の孔に差し込み易くしてある。基材４には凹部（寝床）８（図１（ａ））が形成されている。凹部８は基材４のうち、貝止め突起６と対向する面（基材内面）に形成されており、基材４の中央部９の外周面よりも一段低くしてある。凹部８を設けることにより、貝係止具２を貝Ｂの孔に差し込むときに貝止め突起６が凹部８に押し倒されて、貝止め突起６が縦ロープＣ（図５）内を貫通し易くなるようにしてある。差し込み時に倒れた貝止め突起６は縦ロープＣを貫通し終えたときも、貝Ｂの孔を貫通し終えたときも、自己の弾性と復元力で自動的に起立して倒伏する前の元の状態に復元できる。基材４の長さや太さは用途、強度、材質等により任意に選定できる。一例としては長さ６．５ｃｍ前後、直径１．３ｍｍ前後である。
【００１９】
二本の第一ロープ止め突起５は、縦ロープＣ（図１（ａ））に差し込んだ貝係止具２が縦ロープＣから抜けるのを阻止するためのものであり、図１（ａ）（ｂ）では、基材４にハ字状に突設されている。図１（ａ）（ｂ）の第一ロープ止め突起５は基材４の長手方向中央部の外径よりもやや細い丸棒状であるが、それ以外の形状、例えば、三角や四角の棒状とか楕円形の棒状等とすることもでき、太さもそれ以外とすることができる。いずれの形状であっても、ロープ止め突起５の断面積は可撓性連結材３の断面積と同じか、それよりも小さくすることができる。これらは以下いずれの実施形態でも同様である。
【００２０】
図１（ａ）（ｂ）の貝止め突起６はその根元側６ａから、第一ロープ止め突起５側に向けて弧状に湾曲して突設されている。貝止め突起６は薄片状とか他の形状にすることができる。これらも以下いずれの実施形態でも同様である。
【００２１】
一本の第一ロープ止め突起５と一本の可撓性連結材３は一対として基材４の軸方向に接近配置されており、可撓性連結材３を切断して貝係止具２を一本ずつに切り離すことにより生じる切り残し突起３ａがロープ止め突起（第二ロープ止め突起）となるようにしてある。可撓性連結材３による連結箇所は二本の第一ロープ止め突起５の夫々から内側に離れた箇所であって二本の第一ロープ止め突起５間の中心よりも第一ロープ止め突起５寄りの箇所にして、二本の可撓性連結材３の間隔を縦ロープＣの直径よりも広くしてある。
【００２２】
［貝係止具の実施例２］
第一ロープ止め突起５は図３（ａ）（ｂ）のように基材４と直交状またほぼ直交状に突設したものであってもよい。この場合の第一ロープ止め突起５も直径、長さ等は、縦ロープＣに差し込み易く、差し込み後は縦ロープＣから外れにくくなるように設計する。図３（ａ）（ｂ）の第一ロープ止め突起５は丸棒状であるが、その形状は角棒状、その他の形状の棒状であってもよい。
【００２３】
（連続貝係止具の実施形態１）
本発明の連続貝係止具１は、図１（ａ）のように、多数本の貝係止具２を、その第一ロープ止め突起５を同じ向きにして、間隔をあけて平行に配置し、上下に隣接する貝係止具２の基材４間を可撓性連結材３と一体に樹脂成型して、図４（ａ）（ｂ）のようにロール状に巻くことができるようにしたものである。
【００２４】
図１（ａ）の場合は二本の第一ロープ止め突起５の間を二本の可撓性連結材３で連結してある。可撓性連結材３とロープ止め突起５は一本ずつ一対にして基材４の軸方向に接近配置してある。このように連結することにより、貝係止具２を一本ずつ切断する場合に、可撓性連結材３の一部を切り残して、その切り残し突起３ａ（図１（ｂ））を第二ロープ止め突起としてある。また、可撓性連結材３による連結箇所は二本の第一ロープ止め突起５の夫々から内側に離れた箇所であり、二本の第一ロープ止め突起５間の中心よりも夫々の第一ロープ止め突起５寄りの箇所にして、二本の可撓性連結材３の間隔を縦ロープＣの直径よりも広くしてある。この構成とすることにより、切り残し突起（第二ロープ止め突起）３ａが、貝係止具２を縦ロープＣへ差し込むときに邪魔になりにくい。また、ロープＣに差し込まれた貝係止具２を貝Ｂの孔に差し込むために貝係止具２を指で持っても、切り残し突起３ａが手に当たらないため手を怪我したり、手に嵌めた作業用手袋が破れたりしにくくなる。
【００２５】
可撓性連結材３は図４（ａ）（ｂ）のようにロール状に巻くとか、図４（ｃ）のように所望長に折り返して重ね（折り重ね）たりすることができる可撓性があれば、前記実施形態以外の形状とすることができる。一例として図１（ｄ）に示すものは断面形状が円形の丸紐状であり、図１（ｅ）に示すものは断面形が横長長方形のテープ状の薄片（本発明では、これも紐状という。）であり、図１（ｆ）に示すものは断面形状が正方形の角棒状の紐である。基材４の軸方向に横長楕円形の紐、基材４の軸方向と直交方向に縦長楕円形の紐等とすることもできる。
【００２６】
図１（ａ）では、二本の可撓性連結材３の間隔を縦ロープＣの直径よりも広くしてあるが、その間隔は縦ロープＣの直径と同じであってもよく、場合によっては狭くてもよい。
【００２７】
（連続貝係止具の実施形態２）
図１（ａ）（ｂ）では可撓性連結材３の太さ（断面積）を第一ロープ止め突起５の太さと同じ又は略同じであるが、図２（ａ）（ｂ）のように第一ロープ止め突起５の太さよりも太くすることもできる。図示していないが、可撓性連結材３の太さは第一ロープ止め突起５の太さよりも細くすることもできる。この場合の可撓性連結材３もロール状に巻くことができる可撓性を備えたものとする。図２（ａ）のように可撓性連結材３の太さ（断面積）が第一ロープ止め突起５の太さ（断面積）よりも大きい場合は、可撓性連結材３を切断して図２（ｂ）のように貝係止具２を一本ずつに分離した場合、可撓性連結材３の切り残し突起３ａを第二ロープ止め突起として使用可能な形状、太さ（断面積）、強度にすることができる。
【００２８】
（連続貝係止具の実施形態３）
図３（ａ）（ｂ）ではロープ止め突起５が基材４と直交又は略直交状に突出させた貝係止具２を、第一ロープ止め突起５と平行な可撓性連結材３で連結したものである。この場合、第一ロープ止め突起５と可撓性連結材３の太さを同じ又はほぼ同じ太さ（断面積）にしてある。可撓性連結材３の太さは可能であれば第一ロープ止め突起５よりも太く或いは細くすることもできる。いずれの可撓性連結材３もロール状に巻くとか、折り重ね可能な可撓性を備えたものとしてある。図３（ａ）（ｂ）の場合の可撓性連結材３も第二ロープ止め突起として機能する太さ（断面積）、強度とするのが望ましい。
【００２９】
（ロール状連続貝係止具の実施形態１）
本発明のロール状連続貝係止具は、図１（ａ）、図２（ａ）、図３（ａ）の連続貝係止具１を図４（ａ）のようにロール状に巻いたものである。この場合、連続貝係止具１に帯状のシート１５或いはフィルムを添わせてロール状に巻いて、連続貝係止具１の巻層間にシート１５を介在させてある。シート１５には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１５の幅は連続貝係止具１の幅と同程度のものが好ましい。シート１５を介在させずに巻くこともできる。
【００３０】
（ロール状連続貝係止具の実施形態２）
図４（ｂ）のロール状連続貝係止具は、図１（ａ）、図２（ａ）、図３（ａ）に示すような連続貝係止具１をボビンＨの巻胴Ｊにロール状に巻いたものである。ボビンＨは巻胴Ｊの軸方向両端に鍔Ｋを備えている。巻胴Ｊ、鍔Ｋは段ボール製、樹脂製、木製等とすることができる。段ボール製の場合は使い捨てに適し、樹脂製、木製等の場合は再使用するのに適する。ボビンＨに巻く連続貝係止具１の間にシート１５を介在させることもできる。
【００３１】
（折り重ね連続貝係止具の実施形態）
図４（ｃ）の折り重ね連続貝係止具は、図１（ａ）、図２（ａ）、図３（ａ）に示すような連続貝係止具１を、所望長に折り返して重ねたものである。この場合も、連続貝係止具１の間にシートを介在させることもできる。
【００３２】
［使用例］
本発明の連続貝係止具の使用方法は種々あるが、一例としてはロール状に巻いてある或いは折り返してある連続貝係止具１の巻き終端側（外側巻端部）を引き出して、自動切断差し込み機（ピンセッター）にセットし、自動切断差し込み機により自動的に貝係止具２を一本ずつ切り離して図１（ｂ）、図２（ｂ）、図３（ｂ）に示すようにし、それを縦ロープＣに差し込んで第一ロープ止め突起５で縦ロープＣから抜けないようにする。縦ロープＣに差し込んだ貝係止具２の端部を貝Ｂの耳に開口してある孔に差し込んで貝止め突起６をその孔を貫通させ、貝Ｂの耳を貝止め突起６によって係止する。これと同様に、貝係止具２の長手方向他端を貝Ｂの孔に差し込んで貝止め突起６に貝Ｂの耳を係止する。
【符号の説明】
【００３３】
１  連続貝係止具
２  貝係止具
３  可撓性連結材
３ａ  （可撓性連結材の）切り残し突起（第二ロープ止め突起）
４  基材
５  ロープ止め突起（第一ロープ止め突起）
６  貝止め突起
７  （貝係止具の）両端部（差し込み端部）
８  （貝係止具の）凹部（寝床）
９  （貝係止具の）中央部
１５  シート
Ａ  貝係止具
Ｂ  貝
Ｃ  縦ロープ
Ｅ  ロープ止め突起
Ｇ  貝止め突起
Ｈ  ボビン
Ｊ  巻き胴
Ｋ  鍔
【図１】
2018130078.tif 000003
【図２】
2018130078.tif 000004
【図３】
2018130078.tif 000005
【図４】
2018130078.tif 000006
【図５】
2018130078.tif 000007